(57)【特許請求の範囲】
【請求項１】
店舗やオフィス等で、人と人との接触が過多な場所でのウイルス菌の感染防止の為のシールドとなるカウンターやテーブル又は床面に設置する透明な板材から成る透明間仕切り板として、該透明間仕切り板の周囲を構成する枠の上部水平枠部に、通気管と下方向に向けた空気の放出口を設けて、更に前記枠を構成する下部水平枠部に、空気を吸引する吸引口と通気管とを設けて、更に前記枠の横側部を構成する垂直枠部に、前記下部水平枠部から前記上部水平枠部の通気管に空気を巡回させる通気管を繋げて設けて、モーターの動力で前記吸引口から吸引した空気を、前記下部水平枠部から前記上部水平枠部まで一連となった通気管の巡回経路内に設けている除菌装置で除菌して前記放出口から下方向に前記透明間仕切り板の外側面に沿うように放出させる様にしたことで、放出された該空気が外の周囲の空気とともに下向きの流れになって前記吸引口で吸引出来る様にしたことで、空気中に漂う菌を含んだ浮遊飛沫等を減少できるようにしたことを特徴とした間仕切り板型除菌装置。
【請求項２】
店舗やオフィス等での人と人との接触が過多な場所でのウイルス菌の感染防止の為のシールドとなるカウンターやテーブル又は床面に設置する透明な板材から成る透明間仕切り板として、該透明間仕切り板の周囲を構成する枠に静電気発生装置を取り付けて設けて、該静電気発生装置によって前記透明間仕切り板を、静電気を帯びた静電式集塵板にして、空気中に漂う浮遊飛沫等を減少できるようにしたことを特徴とした間仕切り板型除菌装置。
【発明の詳細な説明】
【技術分野】
【０００１】
本発明は、ウイルス菌の感染防止の為の透明な間仕切り板型除菌装置に関するものである。
【背景技術】
【０００２】
従来の空気清浄機は、室内の空気を屋外に放出して、屋外の新鮮な空気を取り入れて室内に放出すものと、床に簡易的に据え置ける型の空気清浄機では、室内の空気を、下部の吸引口から吸引して、吸引した空気を、上部に設けた送風口から室内全体へ送風する形式が主流で、室内の空気を攪拌するものが主流であった。
【先行技術文献】
【特許文献】
【０００３】
【特許文献１】特開2014-066467
【特許文献２】特開2013-256820
【発明の概要】
【発明が解決しようとする課題】
【０００４】
解決しようとする課題は、除菌装置として、小スペースに床面等に設置ができ、さらに、室内の浮遊飛沫や有害物質を攪拌せずに、室内の一定位置で循環して除菌等の空気の清浄をすることである。
【課題を解決するための手段】
【０００５】
本発明は、上記課題を解決するため、以下の手段を採用した。
本発明の請求項１は、店舗やオフィス等での人と人との接触が過多な場所でのウイルス菌の感染防止の為のシールドとなるカウンターやテーブル又は床面に設置する透明な板材から成る透明間仕切り板（１）として、該透明間仕切り板（１）の周囲を構成する枠の上部水平枠部（１２）に、通気管（１５）と下方向に向けた空気の放出口（１６）を設けて、更に前記枠を構成する下部水平枠部（１３）に前記上部水平枠部（１２）の下方向に向けた空気の前記放出口（１６）から放出された空気や周辺の空気を吸引する吸引口（１７）と通気管（１５）とを設けて、更に前記枠の横側部を構成する垂直枠部（１４）に、前記下部水平枠部（１３）から前記上部水平枠部（１２）の通気管（１５）に空気を巡回させる通気管（１５）を繋げて設けて、モーターの動力で前記吸引口（１７）から吸引した空気を、前記下部水平枠部（１３）から前記上部水平枠部（１２）まで一連となった通気管（１５）の巡回経路内に設けている除菌装置部（２３）で除菌して前記放出口（１６）から下方向に前記透明間仕切り板（１）の外側面に沿うように放出させる様にしたことで、放出された該空気が外の周囲の空気とともに下向きの流れになって前記吸引口（１７）で吸引されるようにして、空気中に漂う浮遊飛沫等を減少できるようにした間仕切り板型除菌装置。
【０００６】
この場合、電源装置部（２１）や除菌装置（２３）は、前記上部水平枠部（１２）の更に上部に設けて、間仕切り板として横に突出する部分を少なくするとともに、前記下部水平枠部（１３）を、床面又はカウンターやテーブル面よりも高くして浮かした状態にして、床面又はテーブル面の清掃作業をしやすくするとともに前記吸引口（１７）に、床面やテーブル面のゴミの吸引を防ぐこととする。
【０００７】
本発明の請求項２は、店舗やオフィス等での人と人との接触が過多な場所でのウイルス菌の感染防止の為のシールドとなるカウンターやテーブル又は床面に設置する透明な板材から成る透明間仕切り板（１）として、該透明間仕切り板（１）の周囲を構成する枠に静電気発生装置（２６）を取り付けて設けて、該静電気発生装置（２６）によって前記透明間仕切り板（１）を、静電気を帯びた静電式集塵板にして、空気中に漂う浮遊飛沫等を減少できるようにした間仕切り板型除菌装置。
【０００８】
この場合、透明間仕切り板（１）を、上下の2枚に分離して設けて、人の指が無意識的に触やすいと考えられる下段を避けて、上段側だけを静電式集塵板にすることと、注意書きにより静電気発生時に触れる事とが無いようにして、接触による不快感を防止する事と、前記静電気発生装置のスイッチを切った状態で、透明間仕切り板である前記静電式集塵板の消毒と付着物の拭き取り作業を定期的に行う必要がある。
【発明の効果】
【０００９】
本発明に係る間仕切り板型除菌装置は、装置としては薄型で、視界が開ける透明な間仕切り板として設置が容易であり、人と人が接し滞在する場所での感染防止に役立つものであり、さらに、除菌装置とする事で安心と安全が図れる効果がある。
【図面の簡単な説明】
【００１０】
【図１】は請求項１の正面図で、内部の通気管（１５）とフイルター（２４）を破線で表している。
【図２】は請求項１の平面図。
【図３】は請求項１の左側から見た側面図で、内側になる透明間仕切り板（１）を破線で表している。
【図４】は請求項２の正面図で、さらに、帯電ガン（２７）からマイナスイオン（２８）を放射しているイメージ図を付加した。
【図５】は請求項２の平面図。
【図６】は請求項２の側面図で、さらに、帯電ガン（２７）からマイナスイオン（２８）を放射しているイメージ図を付加した。
【発明を実施するための形態】
【００１１】
本発明の請求項１は、カウンターやテーブル又は床面に設置する透明な板材から成る透明間仕切り板（１）として、該透明間仕切り板（１）の周囲を構成する枠の上部水平枠部（１２）に、通気管（１５）と、空気の放出口（１６）を下向きにして設けて、更に前記枠を構成する下部水平枠部（１３）に、放出口（１６）から下向きに放出された空気や周辺の空気を吸引する吸引口（１７）と通気管（１５）とを設けて、更に前記枠の横側部を構成する垂直枠部（１４）に、下部水平枠部（１３）から上部水平枠部（１２）の通気管（１５）に空気を巡回させる通気管（１５）を設けて、モーターの動力でプロペラ（２２）を回転させて、下部水平枠部（１３）から垂直枠部（１４）に、さらに、除菌装置部（２３）よる除菌の行程を経過させて巡回した空気を、上部水平枠部（１２）の放出口（１６）から下方向に放出させる様にしたことで、放出された該空気が周囲の空気とともに下向きに透明間仕切り板（１）に沿って降りる流れになって吸引口（１７）で吸引されるようにして、浮遊飛沫を減少できるようにした間仕切り板型除菌装置である。
【００１２】
この場合、電源装置部（２１）からの電源の供給で回転するプロペラ（２２）の動力装置で、通気管（１５）を巡回した空気を除菌する除菌装置部（２３）においては、抗菌及び坑ウイルス成分を配したフイルター（２４）での除菌方法にして装置の軽量化を図る。
【００１３】
本発明の請求項２は、カウンターやテーブル又は床面に設置する透明な板材から成る透明間仕切り板（１）として、該透明間仕切り板（１）の周囲を構成する枠に静電気発生装置（２６）を取り付けて設けて、該静電気発生装置（２６）に付随する帯電ガン（２７）から放射されたマイナスイオン（２８）によって透明間仕切り板（１）を、静電気を帯びた静電式集塵板にして、空気中の浮遊飛沫を減少できるようにした間仕切り板型除菌装置である。
【００１４】
この場合、枠に取り付ける帯電ガン（２７）の数や場所は、透明間仕切り板（１）の大きさや形態によって異なるものとする。
【実施例１】
【００１５】
図１から図３は、送風による間仕切り板型除菌装置として、透明な板材から成る透明間仕切り板（１）と、該透明間仕切り板（１）の周囲を構成する枠の上部水平枠部（１２）に、通気管（１５）と下方向に向けた空気の放出口（１６）を設けて、更に枠下部の下部水平枠部（１３）に、前記の放出口（１６）から放出された空気や周辺の空気を吸引する吸引口（１７）と通気管（１５）とを設けて、更に枠の横側部を構成する垂直枠部（１４）に、前記の下部水平枠部（１３）の通気管（１５）から上部水平枠部（１２）の通気管（１５）に一連に繋げて空気を巡回させる通気管（１５）を設けて、各通気管（１５）の各所のプロペラ（２２）に設けたモーターの動力で下部水平枠部（１３）から垂直枠部（１４）の通気管（１５）に、さらに、除菌装置部（２３）よる除菌の行程を経過させた空気を上部水平枠部（１２）の放出口（１６）から下方向に放出させる様にしたことで、放出された該空気が周囲の空気とともに下向きの流れになって吸引口（１７）で吸引されるようにしていて、据え置き型の間仕切り板型除菌装置として、下部の両横に、床（F）から立ち上げる為の脚部（２９）と、更に下部に安定脚部（３０）を設けている。
【００１６】
図４から図６は、静電気による間仕切り板型除菌装置として、透明な板材から成る透明間仕切り板（１）と、該透明間仕切り板（１）の周囲を構成する枠に、静電気発生装置（２６）と帯電ガン（２７）を取り付けて設けて、該帯電ガン（２７）からのマイナスイオン（２８）の放出で透明間仕切り板（１）を、静電気を帯びた静電式集塵板にして、空気中の浮遊飛沫を減少できるようにしていて、図４の正面図と、図６の側面図は、帯電ガン（２７）からマイナスイオン（２８）を放出しているイメージを表していて、また、透明間仕切り板（１）は、上下の2枚から構成されており、上段の透明間仕切り板（２）の周囲の下部側と下段の透明間仕切り板（３）の周囲の上部側には、周囲を構成する枠は必要でないので設けずにいて、該上下の2枚の透明間仕切り板の間は隙間として離して開けた状態にしていて、上段の透明間仕切り板（２）のみが静電気を帯びた静電式集塵板となり、下段の透明間仕切り板（３）は静電気を帯びないものとする。
【産業上の利用可能性】
【００１７】
人が、安心して集会できる環境を提供することは、産業の発展に役立つものである。
【符号の説明】
【００１８】
１    透明間仕切り板
２    透明間仕切り板（上段側）
３    透明間仕切り板（下段側）
１２  上部水平枠部
１３  下部水平枠部
１４  垂直枠部
１５  通気管
１６  放出口（空気の放出口）
１７  吸引口（空気の吸引口）
２１  電源装置部（プロペラ回転等の制御装置）
２２  プロペラ（モーター付き）
２３  除菌装置部
２４  フイルター
２５  垂直枠部（通気管の内蔵が無い垂直枠部）
２６  静電気発生装置
２７  帯電ガン
２８  マイナスイオン
２９  脚部
３０  安定脚部
F      床
【要約】
【課題】
従来の床に据え置き型の空気清浄機は、空気の流れが、下部の吸引口から上部に設けた送風口から上方向に送風する形式が主流で、室内の空気を攪拌するものであった。
【解決手段】
本発明に係る間仕切り板型除菌装置は、薄型の装置で、視界が開ける透明な間仕切り板として設置が容易で、さらに、室内のウイルスを含んだ浮遊飛沫や有害物質を、天井方向や遠方に攪拌せずに、人の顔の位置から離れた位置に誘導して吸引し除菌や削除できることで、一人一人が行える程度の防備で、さらに、人が接し滞在できる環境として、多少でも安心と安全が図れる効果がある。
【選択図】図１【図１】
0006808159.tif 000002
【図２】
0006808159.tif 000003
【図３】
0006808159.tif 000004
【図４】
0006808159.tif 000005
【図５】
0006808159.tif 000006
【図６】
0006808159.tif 000007